(57)【要約】【課題】  ユーザが任意の操作で点灯した照明を自動的に消灯させること。【解決手段】  ＬＥＤを用いた照明は点灯した後、消灯する操作が必要になる。ユーザが任意の操作でカメラ機能を起動する（Ｓ１）。次に、ユーザが照明点灯の操作を行うと  （Ｓ２）、照明部７が点灯する（Ｓ３）。次に、ユーザが撮影ボタンを押下するとカメラ部が撮影を行い（Ｓ４）、制御部２に撮像データを送信する。制御部２は、撮像データを受信すると（Ｓ５にてＹＥＳの場合）、撮影完了と認識し、照明部７を消灯する（Ｓ６）。制御部２は、撮像データを受信しない限り照明部７を消灯させない（Ｓ５にてＮＯの場合）。【選択図】      図２
2006215555.tif 000002
【特許請求の範囲】
【請求項１】
カメラ機能が起動されかつ照明が点灯されてから一定の動作が終了した後に、前記照明を消灯させる制御手段を含むことを特徴とするカメラ付き無線電話の照明制御システム。
【請求項２】
前記制御手段は前記カメラによる撮影が完了した場合に前記照明を消灯させることを特徴とする請求項１記載のカメラ付き無線電話の照明制御システム。
【請求項３】
前記制御手段は前記カメラ機能に関する各種設定値の変更のメニューが参照された場合に前記照明を消灯させることを特徴とする請求項１記載のカメラ付き無線電話の照明制御システム。
【請求項４】
前記無線電話は折り畳み型携帯電話であり、
前記制御手段は前記折り畳み型携帯電話が閉じられたことを検出した場合に前記照明を消灯させることを特徴とする請求項１記載のカメラ付き無線電話の照明制御システム。
【請求項５】
カメラ機能が起動されかつ照明が点灯されてから一定の動作が終了した後に、前記照明を消灯させる制御ステップを含むことを特徴とするカメラ付き無線電話の照明制御方法。
【請求項６】
前記制御ステップは前記カメラによる撮影が完了した場合に前記照明を消灯させることを特徴とする請求項５記載のカメラ付き無線電話の照明制御方法。
【請求項７】
前記制御ステップは前記カメラ機能に関する各種設定値の変更のメニューが参照された場合に前記照明を消灯させることを特徴とする請求項５記載のカメラ付き無線電話の照明制御方法。
【請求項８】
前記無線電話は折り畳み型携帯電話であり、
前記制御ステップは前記折り畳み型携帯電話が閉じられたことを検出した場合に前記照明を消灯させることを特徴とする請求項５記載のカメラ付き無線電話の照明制御方法。
【請求項９】
カメラ付き無線電話の照明制御をコンピュータに実行させるための制御プログラムであって、
カメラ機能が起動されかつ照明が点灯されてから一定の動作が終了した後に、前記照明を消灯させる制御ステップを含むことを特徴とする制御プログラム。
【請求項１０】
前記制御ステップは前記カメラによる撮影が完了した場合に前記照明を消灯させることを特徴とする請求項９記載の制御プログラム。
【請求項１１】
前記制御ステップは前記カメラ機能に関する各種設定値の変更のメニューが参照された場合に前記照明を消灯させることを特徴とする請求項９記載の制御プログラム。
【請求項１２】
前記無線電話は折り畳み型携帯電話であり、
前記制御ステップは前記折り畳み型携帯電話が閉じられたことを検出した場合に前記照明を消灯させることを特徴とする請求項９記載の制御プログラム。
【発明の詳細な説明】
【技術分野】
【０００１】
本発明は、カメラ付き無線電話の照明制御システムおよび照明制御方法ならびに制御プログラムに関し、特にＬＥＤ（ｌｉｇｈｔ  ｅｍｉｔｔｉｎｇ  ｄｉｏｄｅ：発光ダイオード）等の消灯の制御が必要な素子を照明素子として用いたカメラ付き無線電話の照明制御システムおよび照明制御方法に関する。
【背景技術】
【０００２】
カメラ付き無線電話には、暗い場所での撮影用にＬＥＤ素子を用いた照明機能が付加されたものが存在する。図５は従来のカメラ付き無線電話の照明制御方法の一例を示すフローチャートである。同図は照明素子としてＬＥＤを用いた場合の照明制御方法の一例を示しており、まずユーザが任意の操作でカメラ機能を起動し（Ｓ３１）、次にユーザが照明点灯の操作を行うと（Ｓ３２）、照明が点灯する（Ｓ３３）。次に、ユーザが撮影を行い、撮影が終了してユーザが照明の消灯操作を行うと（Ｓ３４にてＹＥＳの場合）、照明が消灯する（Ｓ３５）。ユーザが照明の消灯操作を行わない限り照明は消灯しない（Ｓ３４にてＮＯの場合）。
【０００３】
一方、この種の従来技術の一例が特許文献１〜３に開示されている。
【０００４】
特許文献１記載の技術は、カメラ付き携帯電話に放電管を利用したストロボを付加するものであり、ＬＥＤを使用した照明の消灯に関する本発明とは全くの別発明である。
【０００５】
特許文献２記載の技術は、カメラ付き携帯電話のストロボをカメラと同じ面に実装するものであり、この発明も本発明とは全くの別発明である。
【０００６】
特許文献３記載の技術は、距離センサとマイク音量などで携帯電話とその使用者の距離を判断し、マイク音量などを自動調整するものであり、この発明も本発明とは全くの別発明である。
【０００７】
【特許文献１】特開２００１−３２０６２２号公報
【特許文献２】特開２００１−３４５８９９号公報
【特許文献３】特開２００２−１１１８０１号公報
【発明の開示】
【発明が解決しようとする課題】
【０００８】
このように、従来の照明素子としてＬＥＤを用いたカメラ用照明はユーザの操作により消灯する必要があった。そこで、消灯の操作を行わないと、０．３Ｗ程度の電力を消費するＬＥＤの照明は電池寿命を短くする要因となる。また、ＬＥＤは長時間点灯させると劣化するという問題もあった。また、メニュー操作中は撮影を行わないので、照明を点灯させる必要がなく、消費電力低減のためには消灯すべきであった。さらに、折り畳み型携帯電話を閉じた場合には、撮影を一時中断する場合であるため、この場合も消費電力低減のために消灯すべきであった。
【０００９】
なお、一般的なカメラに使用されるキセノン管を使用した照明、いわゆるストロボは点灯時間がその照明素子の特性で決まっており、消灯を制御する必要は無かったが、ＬＥＤは消灯を制御する必要がある。カメラ付き携帯電話で一般にＬＥＤ素子が利用される理由は、キセノン管を用いた場合に比べて小型化が可能なことが主な理由である。
【００１０】
そこで本発明の目的は、ユーザが任意の操作で点灯した照明を自動的に消灯させ、これにより省電力と照明素子の長寿命化の実現が可能なカメラ付き無線電話の照明制御システムおよび照明制御方法ならびに制御プログラムを提供することにある。
【課題を解決するための手段】
【００１１】
本発明によるカメラ付き無線電話の照明制御システムは、カメラ機能が起動されかつ照明が点灯されてから一定の動作が終了した後に、前記照明を消灯させる制御手段を含むことを特徴とする。
【００１２】
また、本発明によるカメラ付き無線電話の照明制御方法は、カメラ機能が起動されかつ照明が点灯されてから一定の動作が終了した後に、前記照明を消灯させる制御ステップを含むことを特徴とする。
【００１３】
また、本発明によるカメラ付き無線電話の照明制御をコンピュータに実行させるための制御プログラムは、カメラ機能が起動されかつ照明が点灯されてから一定の動作が終了した後に、前記照明を消灯させる制御ステップを含むことを特徴とする。
【００１４】
すなわち、本発明によれば、ユーザが任意の操作で点灯した照明を自動的に消灯させ、これにより省電力と照明素子の長寿命化の実現が可能となる。
【００１５】
すなわち、図２に示すように、ユーザ操作により点灯した照明が、ユーザが撮影ボタンを押し、撮影が終了したと同時に消灯することを特徴とする。また、図３に示すように、カメラの機能設定を変更しようとしてメニューを参照した場合にも消灯することを特徴とする。また、図４に示すように、折り畳み型携帯電話で開いた状態から閉じた場合にも消灯することを特徴とする。
【発明の効果】
【００１６】
本発明によれば、ユーザが任意の操作で点灯した照明を自動的に消灯させ、これにより省電力と照明素子の長寿命化の実現が可能となる。
【００１７】
すなわち、ユーザは撮影終了と同時に照明が消灯されるため、消灯操作が不要となる。さらに、撮影される被写体の人間も撮影が終了したことがわかるという利便性がある。
【発明を実施するための最良の形態】
【００１８】
以下、本発明の実施の形態について添付図面を参照しながら説明する。図１は本発明に係るカメラ付き無線電話の照明制御システムの最良の実施の形態の構成図である。同図を参照すると、カメラ付き無線電話の照明制御システムは、無線部１と、制御部２と、表示部３と、記憶部４と、ボタン部５と、カメラ部６と、照明部７とを含んで構成される。
【００１９】
無線部１は、携帯電話、ＰＨＳ（ｐｅｒｓｏｎａｌ  ｈａｎｄｙ  ｐｈｏｎｅ  ｓｙｓｔｅｍ）などに代表される無線電話機能を示し、高周波無線信号を送受信する。制御部２は、無線部１で送受信するデジタル信号を処理したり、表示部やカメラ部を制御する。表示部３は、送受信するデータや操作内容などを表示する。記憶部４は、制御部２の動作に関係するプログラムや撮像データなどを格納している。ボタン部５は、複数のボタンで構成され、これらの信号は、制御部２に入力され、各種機能の操作を行う。カメラ部６は、撮像機能を持ち、撮像データは制御部２に入力され、保存や閲覧に利用される。照明部７は、ＬＥＤ素子により構成され、制御部２からの信号により点滅制御される。制御部２はユーザが任意の操作で点灯させた照明部７を自動的に消灯させる機能を有している。
【００２０】
なお、本発明では照明素子としてＬＥＤを用いた場合について説明するが、これに限定するものではなく、消灯操作が必要な他の照明素子にも適用が可能である。
【実施例】
【００２１】
以下、カメラ付き無線電話の照明制御方法について説明する。まず、第１実施例について説明する。図２は第１実施例の動作を示すフローチャートである。同図を参照すると、まず、ユーザが任意の操作でカメラ機能を起動する（Ｓ１）。次に、ユーザが照明点灯の操作を行うと（Ｓ２）、照明部７が点灯する（Ｓ３）。次に、ユーザが撮影ボタンを押下するとカメラ部が撮影を行い（Ｓ４）、制御部２に撮像データを送信する。
【００２２】
制御部２は、撮像データを受信すると（Ｓ５にてＹＥＳの場合）、撮影完了と認識し、照明部７を消灯する（Ｓ６）。制御部２は、撮像データを受信しない限り照明部７を消灯させない（Ｓ５にてＮＯの場合）。
【００２３】
なお、制御部２が撮影完了を認識するトリガとしては、カメラ部６が撮像データを出力完了した場合に出力される信号を制御部２が受信したこととしても良い。また、撮影ボタンを押してから図示しないタイマーを起動し、予め決められた時間後に照明部７を消灯しても良い。予め決められた時間とは、撮影ボタンを押してから制御部２が撮像データを受信完了するまでの時間であり、設計もしくは測定により決めることができる。
【００２４】
次に、第２実施例について説明する。第２実施例はメニューに移行した場合に照明部７を消灯するものである。図３は第２実施例の動作を示すフローチャートである。同図を参照すると、まず、ユーザが任意の操作でカメラ機能を起動する（Ｓ１１）。次に、ユーザが照明点灯の操作を行うと（Ｓ１２）、照明部７が点灯する（Ｓ１３）。次に、ユーザがカメラ機能に関する各種設定値の変更を行うために、メニューボタン（ボタン部５のうちの１個）を押下すると（Ｓ１４にてＹＥＳの場合）、制御部２は照明部７を消灯する（Ｓ１５）。制御部２は、ユーザがメューボタンを押下しない限り照明部７を消灯させない（Ｓ１４にてＮＯの場合）。
【００２５】
次に、第３実施例について説明する。第３実施例は折り畳み型携帯電話を閉じた場合に照明を消灯するものである。無線電話として一体型携帯電話の他に折り畳み型携帯電話に本発明の適用が可能である。
【００２６】
図４は第３実施例の動作を示すフローチャートである。同図を参照すると、まず、ユーザが任意の操作でカメラ機能を起動する（Ｓ２１）。次に、ユーザが照明点灯の操作を行うと（Ｓ２２）、照明部７が点灯する（Ｓ２３）。次に、ユーザが折り畳み型携帯電話を閉じ、制御部２がそれを検出すると（Ｓ２４にてＹＥＳの場合）、制御部２は照明部７を消灯する（Ｓ２５）。制御部２は、折り畳み型携帯電話が閉じられたことを検出しない限り照明部７を消灯させない（Ｓ２４にてＮＯの場合）。
【００２７】
次に、第４実施例について説明する。第４実施例はカメラ付き無線電話の照明制御方法をコンピュータに実行させるための制御プログラムに関するものである。前述したように、記憶部４（図１参照）にはプログラムが格納されており、そのプログラムには図２から図４にフローチャートで示される照明制御方法の制御プログラムも含まれている。
【００２８】
制御部２は記憶部４から図２から図４に示すプログラムを読み出し、そのプログラムにしたがって照明部７を制御する。その制御の内容についてはすでに述べたのでここでの説明は省略する。
【図面の簡単な説明】
【００２９】
【図１】本発明に係るカメラ付き無線電話の照明制御システムの最良の実施の形態の構成図である。
【図２】第１実施例の動作を示すフローチャートである。
【図３】第２実施例の動作を示すフローチャートである。
【図４】第３実施例の動作を示すフローチャートである
【図５】従来のカメラ付き無線電話の照明制御方法の一例を示すフローチャートである。
【符号の説明】
【００３０】
１  無線部
２  制御部
３  表示部
４  記憶部
５  ボタン部
６  カメラ部
７  照明部
【図１】
2006215555.tif 000003
【図２】
2006215555.tif 000004
【図３】
2006215555.tif 000005
【図４】
2006215555.tif 000006
【図５】
2006215555.tif 000007
【手続補正書】
【提出日】平成18年3月13日(2006.3.13)
【手続補正１】
【補正対象書類名】特許請求の範囲
【補正対象項目名】全文
【補正方法】変更
【補正の内容】
【特許請求の範囲】
【請求項１】
カメラ機能が起動されかつ照明が点灯されてから撮影が終了した後に、前記照明を消灯させる制御手段を含むことを特徴とするカメラ付き無線電話の照明制御システム。
【請求項２】
カメラ機能が起動されかつ照明が点灯されてから撮影が終了した一定時間後に、前記照明を消灯させる制御手段を含むカメラ付き無線電話の照明制御システムであって、
前記照明が点灯された後に撮影ボタンの押下により起動するタイマを含み、
前記制御手段は前記タイマに設定された時間経過後に前記照明を消灯させることを特徴とするカメラ付き無線電話の照明制御システム。
【請求項３】
カメラ機能が起動されかつ照明が点灯されてから撮影が終了した後に、前記照明を消灯させる制御手段を含むカメラ付き無線電話の照明制御システムであって、
前記制御手段は前記カメラ機能に関するボタンが操作されると前記照明を消灯させることを特徴とするカメラ付き無線電話の照明制御システム。
【請求項４】
カメラ機能が起動されかつ照明が点灯されてから撮影が終了した後に、前記照明を消灯させる制御手段を含むカメラ付き無線電話の照明制御システムであって、
前記無線電話は携帯電話であり、
前記制御手段は前記携帯電話の筐体が閉じられたことを検出した場合に前記照明を消灯させることを特徴とするカメラ付き無線電話の照明制御システム。
【請求項５】
前記照明は、連続点灯が可能な照明用ＬＥＤ（ｌｉｇｈｔ  ｅｍｉｔｔｉｎｇ  ｄｉｏｄｅ）で構成されることを特徴とする請求項１から４いずれかに記載のカメラ付き無線電話の照明制御システム。
【請求項６】
カメラ付き無線電話の照明制御方法の制御プログラムであって、
コンピュータに、カメラ機能が起動されかつ照明が点灯されてから撮影が終了した後に、前記照明を消灯させる制御ステップを実行させるための制御プログラム。
【請求項７】
カメラ機能が起動されかつ照明が点灯されてから撮影が終了した一定時間後に、前記照明を消灯させるカメラ付き無線電話の照明制御方法の制御プログラムであって、
前記カメラ付き無線電話に前記照明が点灯された後に撮影ボタンの押下により起動するタイマが含まれ、
コンピュータに、前記タイマに設定された時間経過後に前記照明を消灯させる
制御ステップを実行させるための制御プログラム。
【請求項８】
カメラ機能が起動されかつ照明が点灯されてから撮影が終了した後に、前記照明を消灯させるカメラ付き無線電話の照明制御方法の制御プログラムであって、
コンピュータに、前記カメラ機能に関するボタンが操作されると前記照明を消灯させる制御ステップを実行させるための制御プログラム。
【請求項９】
カメラ機能が起動されかつ照明が点灯されてから撮影が終了した後に、前記照明を消灯させるカメラ付き無線電話の照明制御方法の制御プログラムであって、
前記無線電話は携帯電話であり、
コンピュータに、前記携帯電話の筐体が閉じられたことを検出した場合に前記照明を消灯させる制御ステップを実行させるための制御プログラム。
【請求項１０】
前記照明は、連続点灯が可能な照明用ＬＥＤ（ｌｉｇｈｔ  ｅｍｉｔｔｉｎｇ  ｄｉｏｄｅ）で構成されることを特徴とする請求項６から９いずれかに記載の制御プログラム。
【手続補正３】
【補正対象書類名】明細書
【補正対象項目名】０００１
【補正方法】変更
【補正の内容】
【０００１】
本発明は、カメラ付き無線電話の照明制御システムおよび制御プログラムに関し、特にＬＥＤ（ｌｉｇｈｔ  ｅｍｉｔｔｉｎｇ  ｄｉｏｄｅ：発光ダイオード）等の消灯の制御が必要な素子を照明素子として用いたカメラ付き無線電話の照明制御システムおよび制御プログラムに関する。
【手続補正４】
【補正対象書類名】明細書
【補正対象項目名】００１０
【補正方法】変更
【補正の内容】
【００１０】
そこで本発明の目的は、ユーザが任意の操作で点灯した照明を自動的に消灯させ、これにより省電力と照明素子の長寿命化の実現が可能なカメラ付き無線電話の照明制御システムおよび制御プログラムを提供することにある。
【手続補正５】
【補正対象書類名】明細書
【補正対象項目名】００１１
【補正方法】変更
【補正の内容】
【００１１】
本発明によるカメラ付き無線電話の照明制御システムは、カメラ機能が起動されかつ照明が点灯されてから撮影が終了した後に、前記照明を消灯させる制御手段を含むことを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
また、本発明による制御プログラムは、カメラ付き無線電話の照明制御方法の制御プログラムであって、コンピュータに、カメラ機能が起動されかつ照明が点灯されてから撮影が終了した後に、前記照明を消灯させる制御ステップを実行させるための制御プログラムであることを特徴とする。
【手続補正８】
【補正対象書類名】図面
【補正対象項目名】図５
【補正方法】変更
【補正の内容】
【図５】
2006215555.tif 000008